(57)【要約】【課題】不使用時に容易に折り畳むことができ、持ち運びに便利なアイグラスディスプレイを提供する。【解決手段】アイグラスディスプレイ１を不使用状態として折り畳むときは、まず、映像形成投影装置７を後方にスライドさせて７’で示される位置とする。このとき、テンプル９は、９’に示す位置に来る。この状態から、映像形成投影装置７を回動軸８を回動中心として図１の反時計回りに回動させ、映像形成投影装置７が７”、テンプル９が９”の位置に来るようにする。このとき、映像形成投影装置７のスライドにより、映像形成投影装置７が７’の位置、回動軸８が８’の位置に来ているので、映像形成投影装置７と映像投影レンズ３とが機械的に干渉することなく、映像形成投影装置７とテンプル９を折り畳むことができる。【選択図】  図１
2008022358.tif 000002
【特許請求の範囲】
【請求項１】
眼鏡タイプのアイグラスディスプレイであって、眼鏡レンズがテンプルを含む支持体によって保持され、一つのテンプルには、映像形成投影装置が保持されており、前記映像形成投影装置から射出される光束を、前記眼鏡レンズのうちの一つ（映像投影レンズ）に入射させて第１の反射体により反射させ、当該眼鏡レンズの中を通して第２の反射体により反射させて眼に導くものにおいて、前記映像形成投影装置は前記映像投影レンズに、スライド機構を介して接続され、かつ、前記映像形成投影装置は、これを、前記映像投影レンズに対して、当該アイグラスディスプレイの装着状態における水平方向に回動させる回動軸を有し、当該アイグラスディスプレイを使用可能な状態においては、前記映像形成投影装置と前記映像投影レンズが干渉して前記回動軸は回動不可能とされ、前記映像形成投影装置をスライドさせて、前記映像形成投影装置を前記映像投影レンズから離したとき、前記映像形成投影装置と前記映像投影レンズが干渉しないような位置となり、前記映像形成投影装置が、前記回動軸を中心として、前記映像投影レンズに近づく方向に回動可能となるようにされていることを特徴とするアイグラスディスプレイ。
【請求項２】
前記映像形成投影装置と前記映像投影レンズが干渉しないような位置にあるとき、前記映像形成投影装置の光束射出面を保護する保護部材を有することを特徴とする請求項１に記載のアイグラスディスプレイ。
【発明の詳細な説明】
【技術分野】
【０００１】
本発明はアイグラスディスプレイに関するものである。
【背景技術】
【０００２】
外界の映像にコンピュータなどの映像を重ねて表示可能なディスプレィとして、シースルータイプのアイグラスディスプレイがあり、例えば特開２００４−１２７６８号公報（特許文献１）に記載されている。このようなディスプレィでは、映像形成投影装置で形成された映像に対応する光束を、眼鏡レンズを通して伝播させ、眼鏡レンズ中央付近にあるハーフミラーやＨＯＥ等の反射部材で目の方に映像を反射させて表示する。
【特許文献１】特開２００４−１２７６８号公報
【発明の開示】
【発明が解決しようとする課題】
【０００３】
通常の眼鏡の場合、眼鏡のテンプルを折り畳むことによって持ち運びを簡単にできるが、このようなアイグラスディスプレイの場合、テンプル部に映像形成投影装置が取り付けられるため、テンプルを内側に折り畳もうとしても、眼鏡レンズと映像形成投影装置が機械的に干渉して折り畳むことができず持ち運びに不便であった。
【０００４】
本発明はこのような事情に鑑みてなされたものであり、不使用時に容易に折り畳むことができ、持ち運びに便利なアイグラスディスプレイを提供することを課題とする。
【課題を解決するための手段】
【０００５】
前記課題を解決するための第１の手段は、眼鏡タイプのアイグラスディスプレイであって、眼鏡レンズがテンプルを含む支持体によって保持され、一つのテンプルには、映像形成投影装置が保持されており、前記映像形成投影装置から射出される光束を、前記眼鏡レンズのうちの一つ（映像投影レンズ）に入射させて第１の反射体により反射させ、当該眼鏡レンズの中を通して第２の反射体により反射させて眼に導くものにおいて、前記映像形成投影装置は前記映像投影レンズに、スライド機構を介して接続され、かつ、前記映像形成投影装置は、これを、前記映像投影レンズに対して、当該アイグラスディスプレイの装着状態における水平方向に回動させる回動軸を有し、当該アイグラスディスプレイを使用可能な状態においては、前記映像形成投影装置と前記映像投影レンズが干渉して前記回動軸は回動不可能とされ、前記映像形成投影装置をスライドさせて、前記映像形成投影装置を前記映像投影レンズから離したとき、前記映像形成投影装置と前記映像投影レンズが干渉しないような位置となり、前記映像形成投影装置が、前記回動軸を中心として、前記映像投影レンズに近づく方向に回動可能となるようにされていることを特徴とするアイグラスディスプレイである。
【０００６】
前記課題を解決するための第２の手段は、前記第１の手段であって、前記映像形成投影装置と前記映像投影レンズが干渉しないような位置にあるとき、前記映像形成投影装置の光束射出面を保護する保護部材を有することを特徴とするものである。
【発明の効果】
【０００７】
本発明によれば、不使用時に容易に折り畳むことができ、持ち運びに便利なアイグラスディスプレイを提供することができる。
【発明を実施するための最良の形態】
【０００８】
以下、本発明の実施の形態の例を、図を用いて説明する。図１は、本発明の実施の形態の１例であるアイグラスディスプレイの概要を示す図である。図１（ａ）において、アイグラスディスプレイ１は、２つの眼鏡レンズ２、３を有し、これらはフレーム４に嵌め込まれている。そのうちの一つの眼鏡レンズ３中には、ミラー５とハーフミラー６が設けられており、映像投影レンズとされている。ハーフミラー６は、単なる平面ミラーでなく、凹面鏡のようにパワーを持ってもよい。又、ＨＯＥ（ホログラフィック・オプティカル・エレメント）でもよい。フレーム４の映像投影レンズ３側には、映像形成投影装置７が、フレーム４に対してスライド機構を介してスライド可能に取り付けられている。映像形成投影装置７中には、ＬＣＤ等の映像形成装置７ａと投影レンズ７ｂが設けられている。映像形成投影装置７には、テンプル９が取り付けられている。眼鏡レンズ２側のフレーム４には、テンプル１０が取り付けられている。
【０００９】
図１（ａ）のＡ−Ａ断面図を、図１（ｂ）に示す。フレーム４と映像形成投影装置７とは、スライド機構により嵌合しており、紙面に垂直な方向に相対移動が可能となっている。なお、映像形成投影装置７の回動軸８が映像形成投影装置７と一体に形成されており、映像形成投影装置７とスライドと共にスライドするようになっている。
【００１０】
図１（ａ）の実線で示す使用状態では、映像投影レンズ３と映像形成投影装置７とが機械的に干渉するので、映像形成投影装置７は、反時計回りには回動不能となっている。又、図示しない停止機構により、図１（ｂ）に示す状態からは、時計回りにも回転不能とされている。
【００１１】
図１に示す使用状態においては、映像形成装置７ａで形成された画像は、投影レンズ７ｂにより投影されて映像投影レンズ３中に入り、第１の反射体であるミラー５で反射されて映像投影レンズ３中を透過し、第２の反射体であるハーフミラー６で再び反射されて眼Ｅに投影される。
【００１２】
アイグラスディスプレイ１を不使用状態として折り畳むときは、以下のように操作する。まず、映像形成投影装置７を後方にスライドさせて７’で示される位置とする。このとき、テンプル９は、９’に示す位置に来る。
【００１３】
この状態から、映像形成投影装置７を回動軸８を回動中心として図１の反時計回りに回動させ、映像形成投影装置７が７”、テンプル９が９”の位置に来るようにする。このとき、７のスライドにより、映像形成投影装置７が７’の位置、回動軸８が８’の位置に来ているので、映像形成投影装置７と映像投影レンズ３とが機械的に干渉することなく、映像形成投影装置７とテンプル９を折り畳むことができる。よって、持ち運びに便利となる。
【００１４】
使用時においては、映像形成投影装置７の光束射出面は、映像投影レンズ３に接しているので、この部分に埃等がくっついたり、この面に傷が付いたりする不具合はないが、映像形成投影装置７が７”の位置にあるときは、映像形成投影装置７の光束射出面がむき出しになるので、前述のような不具合が発生する恐れがある。よって、このような場合には、映像形成投影装置７の光束射出面を覆うシャッタを設けることが好ましい。
【００１５】
この例の略図を図２に示す。図２において、図１に示された構成要素と同じ構成要素には、同じ符号を付してその説明を省略する。図２（ａ）は、映像形成投影装置７が７”の位置にあるときの状態を示す図である。フレーム４には、シャッタ１１が設けられており、シャッタ１１が映像形成投影装置７の光束射出面を覆っている。この状態から、図２（ｂ）で示す状態を経て、図２（ｃ）に示す状態（図１（ａ）で、映像形成投影装置７が７’の位置にあるときの状態）とすれば、映像形成投影装置７の光束射出面がシャッタ１１で覆われない状態となる。この状態から、図２（ｄ）に示すように、映像形成投影装置７をスライドさせることにより、使用状態とすることができる。
【図面の簡単な説明】
【００１６】
【図１】本発明の実施の形態の１例であるアイグラスディスプレイの概要を示す図である。
【図２】光束射出面を覆うシャッタの例を示す図である。
【符号の説明】
【００１７】
１…アイグラスディスプレイ、２…眼鏡レンズ、３…映像投影レンズ、４…フレーム、５…ミラー、６…ハーフミラー、７…映像形成投影装置、７ａ…映像形成装置、７ｂ…投影レンズ、８…回動軸、９…テンプル、１０…テンプル、１１…シャッタ
【図１】
2008022358.tif 000003
【図２】
2008022358.tif 000004